(57)【要約】      （修正有）【課題】ダミーコネクター内部で配線コネクターが密閉されることによって、雨水や埃、オイルなどの異物が内部に浸透されず、長期間に亘って安全性を保つことができる、ダミープラグを提供すること。【解決手段】オプション装置の配線コネクターに着脱可能な建設装備オプション装置用配線コネクターダミープラグにおいて、胴体内部に挿着孔が形成され、前記挿着孔の内壁面上で前記配線コネクターがスライディング挿入され、接続端子を前記挿着孔の内側に挿着させるダミーコネクターと、前記ダミーコネクター胴体の側面から延長され、該先端部で円弧形状をなすが、一側に貫通された取付孔を備えた固定ホルダーとを含めて構成する。【選択図】図２
2008041659.tif 000002
【特許請求の範囲】
【請求項１】
オプション装置の配線コネクターに着脱可能な建設装備オプション装置用配線コネクターダミープラグにおいて、
胴体内部に挿着孔が形成され、前記挿着孔の内壁面上で前記配線コネクターがスライディング挿入され、接続端子を前記挿着孔の内側に挿着させるダミーコネクターと、
前記ダミーコネクター胴体の側面から延長され、該先端部で円弧形状をなすが、一側に貫通した取付孔を備えた固定ホルダーとを含めて構成することを特徴とする建設装備オプション装置用配線コネクターダミープラグ。
【請求項２】
前記ダミーコネクターは、胴体の側面から延長された延長部によりつながり、前記固定ホルダーと一体形に構成してなされることを特徴とする請求項１に記載の建設装備オプション装置用配線コネクターダミープラグ。
【請求項３】
前記ダミーコネクターの胴体上部には、前記配線コネクターの上部支持段がスライディング挿入できるように補助挿着部が設けられ、前記補助挿着部の内部には前記上部支持段に対して非接触面をなすように、段差がつけられたガイド溝がさらに構成されてなされたことを特徴とする請求項１又は２に記載の建設装備オプション装置用配線コネクターダミープラグ。
【発明の詳細な説明】
【技術分野】
【０００１】
本発明は、建設装備オプション装置用配線コネクターダミープラグに関するものであって、さらに詳しくは、埃や雨水、オイルなどのような異物による汚染から電気接続部を保護し、固定ホルダーとダミーコネクター(ｄｕｍｍｙｃｏｎｎｅｃｔｏｒ)とを一体化することによって、製作及び組付性を向上させることができるように改良した建設装備オプション装置用配線コネクターダミープラグに関する。
【背景技術】
【０００２】
通常、掘削機やローダーなどのような建設車両は、オプション装置の配線のために、複数の電気コネクターを備え、埃や雨水、オイルなどのような異物が電気コネクター内に浸透し得ないように配線接続孔にダミーピンをはめ込んだうえで閉塞し、装備の一側に固定せしめている。
【０００３】
図１は、従来建設装備オプション装置用配線コネクター電気接続部の概略を示した斜視図であって、配線コネクター電気接続部４の内部には接続孔２が所定深さで設けられ、前記配線コネクター１０の上部側には上部支持段３が突出形成される。
【０００４】
オプション装置の配線過程で、手作業により選ばれた配線コネクター１０をオプション装置側の電気コネクター接続孔に挿入すれば、相互接続を行うことで電源及びコントロール信号が連結され、それによってオペレータは必要なオプション装置を適宜に行えることになり、ここで連結が不必要となる他の電気コネクターは、短絡を防止するためにダミーピン５を配線コネクター電気接続部４の後方側に嵌め込んだのちにグリップで固定する。
【０００５】
しかしながら、こうした配線は、配線コネクター電気接続部と共にダミーピン及びグリップなどのようなものが付随して所要されることから、組立及び製作が困難であるばかりでなく、高コストを招くという問題を抱えている。
【０００６】
また、従来オプション装置用配線コネクター電気接続部は、使用及び保管の過程で接続孔を介して雨水や埃、オイルなどの異物が内部に浸透する虞がある。
【発明の開示】
【発明が解決しようとする課題】
【０００７】
本発明は、かかる従来技術の問題点等に鑑みてなされたものであり、該目的は、雨水や埃、オイルなどのような異物が内部に浸透し得ないように遮断することが可能な建設装備オプション装置用配線コネクターダミープラグを提供する。
【０００８】
本発明の他の目的は、固定ホルダーとダミーコネクターとを一体に構成することから、配線コネクターに容易に着脱可能であり、製作及び組立性に優れている建設装備オプション装置用配線コネクターダミープラグを提供する。
【課題を解決するための手段】
【０００９】
前述した目的を達成するために、本発明は、オプション装置の配線コネクターに着脱可能な建設装備オプション装置用配線コネクターダミープラグにおいて、胴体内部に挿着孔が形成され、前記挿着孔の内壁面上で前記配線コネクターがスライディング挿入され、接続端子を前記挿着孔の内側に挿着させるダミーコネクターと、前記ダミーコネクター胴体の側面から延長され、該先端部で円弧形状をなすが、一側に貫通された取付孔を備えた固定ホルダーとを含めて構成する建設装備オプション装置用配線コネクターダミープラグを特徴とする。
【００１０】
本発明において、前記ダミーコネクターは、胴体の側面から延長された延長部によりつながり、前記固定ホルダーと一体形に構成してなされる建設装備オプション装置用配線コネクターダミープラグを特徴とする。
【００１１】
また、前記ダミーコネクターの胴体上部には、前記配線コネクターの上部支持段がスライディング挿入できるように補助挿着部が設けられ、前記補助挿着部の内部には前記上部支持段に対して非接触面をなすように、段差のつけられたガイド溝がさらに備えられた建設装備オプション装置用配線コネクターダミープラグを特徴とする。
【発明の効果】
【００１２】
以上で詳述したように、本発明による建設装備オプション装置用配線コネクターダミープラグは、ダミーコネクター内部で配線コネクターが密閉されることによって、雨水や埃、オイルなどの異物が内部に浸透されず、長期間に亘って安全性を保つことができる。また、従来のようにグリップを必要とせず、固定ホルダーとダミーコネクターを一体形に構成するため、容易に配線コネクターに着脱可能となり、製作及び組立性が向上するなど、該効果が極めて優れている。 
【発明を実施するための最良の形態】
【００１３】
以下、添付図面に基づいて本発明による建設装備オプション装置用配線コネクターダミープラグについてより詳しく説明する。
【００１４】
図２は、本発明の一実施例による建設装備オプション装置用配線コネクターダミープラグの概略を示した斜視図であり、図３は、同実施例による建設装備オプション装置用配線コネクターダミープラグの正面図であり、図４は、 同実施例による建設装備オプション装置用配線コネクターダミープラグの側面図であり、図５は、本発明による建設装備オプション装置用配線コネクターダミープラグの使用状態図である。
【００１５】
本発明の実施例において、本発明による建設装備オプション装置用配線コネクターダミープラグは、オプション装置の配線コネクター１０に着脱し、電気コネクターダミープラグに用いるものの、ダミーコネクター２０は、胴体１１内部に一側の開放されたスライディング挿着部１２が形成され、且つ、前記スライディング挿着部１２の内壁面上で前記配線コネクター１０が摺動しかつ挿入し、接続端子を前記スライディング挿着部１２内側に挿着させる機能を奏する。
【００１６】
前記コネクター２０のスライディング挿着部１２内の形状は、円滑なスライディング挿入のために前記配線コネクター１０の外側面の形状に相応して構成するが、少なくとも一つのスライド面１４が内部に形成されることが好ましい。
【００１７】
また、固定ホルダー１３は、前記ダミーコネクター２０の胴体１１の側面から延長され、該先端部で円弧形状をなすが、一側に貫通された取付孔１６を備える。
【００１８】
前記ホルダー１３の取付孔１６は、ボルトやクランプなどの固定手段を締め付ける際に前記ダミーコネクター２０の遊動を拘束する機能を奏する。
【００１９】
前記ダミーコネクター２０は、胴体１１の側面から前記固定ホルダー１３に至る延長部１７を備え、前記延長部１７の上部には支持強度を保持するように胴体１１の背面１１ａから延長部１７の上部表面につながった一対のリム部１８が構成される。
【００２０】
また、前記ダミーコネクターの胴体上部には前記配線コネクター１０の上部支持段３がスライディング挿着できるべく、補助挿着部２２が形成され、且つ、前記補助挿着部２２の内部には段差からなるガイド溝１５がさらに備えられている。
【００２１】
前記ガイド溝１５は、前記配線コネクター１０の上部支持端３がスライディング挿入され、且つ、離隔溝１９が前記ガイド溝１５の上部中央で上部支持段３に対して非接触面をなすようにすることによって、着脱時、配線コネクター１０の外面との摩擦面積を減縮させる機能を奏する。
【００２２】
本発明の実施例によれば、前記ダミーコネクター２０と前記固定ホルダー１３は、前記延長部１７により連結され、一体型に構成することが好ましく、モールディング過程において通常の電気絶縁材質から製造することが好ましい。
【００２３】
本発明の説明において、前記ダミーコネクター２０の角部は、前記配線コネクター１０がスライディング挿入される時に摩擦が低減できるように前記配線コネクター１０の胴体の角部に接触しないアーク状に形成することが望ましく、配線コネクター１０の胴体の形状に応じて長方形や凹溝通路など、様々な変形が可能である。
【００２４】
本発明による建設装備オプション装置用配線コネクターダミープラグは、平常時に使用しないオプション装置用配線コネクター１０の胴体をスライディング挿着部１２に収容する。
【００２５】
つまり、オペレータが前記配線コネクター１０をダミーコネクター２０のスライディング挿着部１２に挿入し、次いで若干の圧力を加えると前記配線コネクター１０の体部１が前記スライディング挿着部１２のスライド面１４に沿って背面１１ａ側に移動することによって、配線コネクター１０がダミーコネクター２０の内部に完全に挿着される。
【００２６】
前記オプション装置用配線コネクター１０の上部支持段３は、ダミーコネクター２０のガイド溝１５に沿って補助挿着部２２の内部に収容される。
【００２７】
このようなスライディング挿入過程において、前記補助挿着部２２の上部は、上部支持段３の外面と離隔溝１９との間に非接触面をなすことから、使用者の挿入圧力によりオプション装置用配線コネクター１０の上部支持段３がガイド溝１５内側に迅速に装着されることになる。
【００２８】
この時、前記スライディング挿着部１２の内部先端は、背面１１ａにより閉鎖されているため、前記オプション装置用配線コネクター１０は、スライディング挿着部１２内部で密閉状態を保っており、それにより雨水や埃及びオイルなどの異物が接続端子４に浸透し得なくなる。
【００２９】
したがって、オプション装置用配線コネクター１０の接続端子４は、長時間に亘って錆の発生や短絡を起こすことなく、安全に保護されることが可能となる。
【００３０】
一方、オプション装置用配線コネクター１０へダミーコネクター２０のスライディング挿入過程が終了されると、使用者は、取付孔１６にボルトやクランプなどのような固定手段を嵌め込み、固定ホルダー１３を建設装備の一側に据え付けることによって、オプション装置用配線コネクター１０と共に組み合わせられたダミーコネクター２０を容易に保管及び維持することができる。
【００３１】
作業環境によってオプション装置に対する配線が必要となれば、使用者はスライディング挿入過程を介して組み合わせられたダミーコネクター２０及び配線コネクター１０を解体させなければならない。該解体過程において、配線コネクター１０の体部１及び上部支持段３がそれぞれスライディング離脱するための作用は、通常の知識を有する当業者において前述したスライディング挿入過程と逆の方法により可能となるものであることを理解し得るから、詳しい説明は略す。
【００３２】
前述した本発明に関する説明は、本発明の属する技術分野における通常の知識を有する者が容易に実施し得る程度に詳しく説明するためのものであって、これにより本発明の技術的思想及び範疇に限られるものではない。
【図面の簡単な説明】
【００３３】
【図１】従来建設装備オプション装置用配線コネクター電気接続部の概略を示した斜視図である。
【図２】本発明の一実施例による建設装備オプション装置用配線コネクターダミープラグの概略を示した斜視図である。
【図３】同実施例による建設装備オプション装置用配線コネルターダミープラグの正面図である。
【図４】同実施例による建設装備オプション装置用配線コネルターダミープラグの側面図である。
【図５】本発明による建設装備オプション装置用配線コネルターダミープラグの使用状態図である。
【符号の説明】
【００３４】
１  配線コネクターの体部
３  上部支持段 
４  電気接続部
５  ダミーピン
１０  配線コネクター
１２  摺動挿着部
１３  固定ホルダー
１４  摺動面
１５  ガイド溝
１７  延長部
２０  ダミーコネクター
【図１】
2008041659.tif 000003
【図２】
2008041659.tif 000004
【図３】
2008041659.tif 000005
【図４】
2008041659.tif 000006
【図５】
2008041659.tif 000007